(57)【要約】      （修正有）【課題】情報フィードバックを強化でき、その技術的スキームを最適化できる技術を提供する。【解決手段】ユーザ装置が、最大フィードバックオーバヘッド８Ｎ＋１２（Ｎはサブバンド数）を有する非周期的フィードバックモードをサポートする。ＣＳＩ（チャネル状態情報）要求のビット数が１であり、且つ、非周期的報告がトリガされた場合又はＣＳＩ要求のビット数が２であり、且つ、１つのセルの非周期的報告がトリガされた場合、ユーザ装置がフィードバックを行うための物理リソースブロック（ＰＲＢ）の最大数は５から８のうちの１つである。【選択図】図１
2016189591.tif 000002
【特許請求の範囲】
【請求項１】
情報フィードバック方法であって、該情報フィードバック方法は、
ユーザ装置が、周期的フィードバックモード２−１を用いる場合、１１ビットを用いて第３フレームにおけるサブバンド第２ＰＭＩ（プリコーディングマトリックスインジケータ）、サブバンドＣＱＩ（チャネル品質インジケータ）及びサブバンドラベル情報をフィードバックする、方法。
【請求項２】
ランクが２である場合、ワイドバンドＣＱＩとサブバンドＣＱＩを差分符号化することで、前記第３フレームにおけるＣＱＩの大きさを制限する、請求項１に記載の方法。
【請求項３】
第１ワイドバンドＣＱＩと第１サブバンドＣＱＩを差分符号化して、差分後の第１サブバンドＣＱＩを取得し、第２ワイドバンドＣＱＩと第２サブバンドＣＱＩを差分符号化して、差分後の第２サブバンドＣＱＩを取得し、
差分符号化のマッピングテーブルでは、オフセット値が０である場合、差分ＣＱＩ値が０であり、オフセット値が１である場合、差分ＣＱＩ値が１であり、オフセット値が２以上である場合、差分ＣＱＩ値が２であり、オフセット値が−１以下である場合、差分ＣＱＩ値が３である、請求項２に記載の方法。
【請求項４】
ランクが２である場合、又はダブルコードブックを用い、且つランクが３若しくは４である場合、サブバンド第２ＰＭＩの大きさを２ビット以下に制限する、請求項１に記載の方法。
【請求項５】
１ビットを用いて異なるアンテナの組み合わせ方式を選択し、他の１ビットを用いてビームを選択する、請求項４に記載の方法。
【請求項６】
（外１）
2016189591.tif 000029
からアンテナの組み合わせ方式を選択し、｛（ｅ１，ｅ１），（ｅ１，ｅ３）｝又は｛（ｅ１，ｅ１），（ｅ１，ｅ２）｝からビームを選択する、請求項５に記載の方法。
【請求項７】
異なるアンテナの組み合わせ方式は予め決定され、２ビットを用いてビームを選択する、請求項４に記載の方法。
【請求項８】
決定されたアンテナの組み合わせ方式は
（外２）
2016189591.tif 000030
であり、｛（ｅ１，ｅ１），（ｅ３，ｅ３），（ｅ１，ｅ３），（ｅ３，ｅ１）｝からビームを選択する、請求項７に記載の方法。
【請求項９】
シングルコードワードのコードブックを用い、且つランクが３又は４である場合、サブバンド第２ＰＭＩは前記シングルコードワードのコードブックの前の４個のコードワード又は最後の４個のコードワードを用いる、請求項１に記載の方法。
【請求項１０】
ユーザ装置であって、
周期的フィードバックモード２−１を用いてフィードバックするフィードバック手段を含み、
１１ビットを用いて第３フレームにおけるサブバンド第２ＰＭＩ（プリコーディングマトリックスインジケータ）、サブバンドＣＱＩ（チャネル品質インジケータ）及びサブバンドラベル情報をフィードバックする、ユーザ装置。
【発明の詳細な説明】
【技術分野】
【０００１】
本発明は、通信分野に関し、特にＬＴＥ−ＡシステムにおけるＭＩＭＯ技術の強化をサポートする情報フィードバック方法、ユーザ装置及び基地局に関する。
【背景技術】
【０００２】
ＬＴＥ−Ａシステムでは、マルチ入力マルチ出力（ＭＩＭＯ）技術が導入され、複数の送信アンテナのシステムを用いてシステム伝送の信頼性及びシステム伝送速度を向上する。システムスペクトル効率をさらに向上するため、システムはマルチユーザマルチ入力マルチ出力（ＭＵ−ＭＩＭＯ）技術をさらにサポートする。基地局側の複数の送信アンテナは、同一の時間周波数リソースで複数のユーザのためにサービスを提供する。
【０００３】
ＭＵ−ＭＩＭＯは、プリコーディング技術を用いてユーザ間の干渉を低減し、ユーザデータ流れの並行伝送を実現する必要がある。良いプリコーディングを選択するため、基地局側は正確なダウンリンク情報を取得し、ＦＤＤシステムではユーザ側のフィードバックにより実現される。従来の４アンテナシステムは、シングルコードワードのコードブック（Ｃｏｄｅｂｏｏｋ）構造を用いてフィードバックする。ＭＵ−ＭＩＭＯ技術は、フィードの正確性への要求が高く、システムではフィードバックオーバーヘッドとフィードバック精度の折衷案が存在する。
【０００４】
現在、シングルコードワードのコードブックと異なるダブルコードブックが現れ、ダブルコードブックはシステムチャネルの長期的変化及び短期的変化の特性を用いて、チャネルに対して量子化してフィードバックし、そのうち、Ｗ１は長期的ワイドバンド情報を表し、Ｗ２は短期的情報を表す。小さい間隔のデュアル偏波アンテナシステムでは、ダブルコードブック構造のコードブックはアンテナ特性を利用して、良いフィードバック精度を取得し、大きい間隔のデュアル偏波アンテナシステムでは、従来のシングルアンテナのコードワードは良いロバスト性を有する。従って、ＬＴＥ  Ｒ１２システムでは、基地局は、実際のアンテナ構成及び伝送環境に基づいてユーザのために適切なコードブックを構成してもよい。
【０００５】
４アンテナのダブルコードブックについて、ビームグリッド構造（ＧｏＢ）を用いる。そのうち、Ｗ１の各列は１つのビーム方向を表し、Ｗ１の異なるコードワードのビーム方向はオーバーラップを有する。Ｗ１のコードワードの数は１６（ランク１、２の場合）であり、Ｗ２はビーム選択と、異なる偏波アンテナとの重み付けされた組み合わせを表し、そのコードワードは１６又は８個（現在はまだ具体的に確定されていない）である。
【０００６】
例えば、ｒａｎｋ  Ｒ＝１、２について、Ｗ１の定義は以下の通りである。
【数１】
2016189591.tif 000003
【０００７】
ここで、Ｘｎは１つの２×ＣＲマトリックスであり、離散フーリエ変換（ＤＦＴ、Ｄｉｓｃｒｅｔｅ  Ｆｏｕｒｉｅｒ  Ｔｒａｎｓｆｏｒｍ）マトリックスの一列であり、且つ
（外１）
2016189591.tif 000004
、Ｎ１はＷ１のｒａｎｋごとのコードワード数、例えば１６であり、Ｑ１はＷ１のビーム粒度であり、現在は未定である。ブロック対角マトリックスＸｎについて、ＣＲは合計のビーム数、例えば４であり、ａ１，ｎ，…，ａＣＲ，ｎはビーム方向を決定するためのビーム係数である。
【０００８】
Ｗ２の定義は以下の通りである。Ｗ２は１つの２ＣＲ×Ｒのマトリックスであり、以下の通りである。
【数２】
2016189591.tif 000005
【０００９】
そのうち、ｅｉは１つの選択ベクトルであり、ｉ行目の要素が１である以外、他の要素が共に０であり、Ｎ２はＷ２のｒａｎｋごとのコードワード数、例えば１６又は８（未定）であり、Ｑ２は２つの偏波方向上の重み付けベクトルの係数である。
【００１０】
各ａｒについて、ｙｒ１は第１偏波方向のビーム選択ベクトルであり、ｙｒ２は第２偏波方向のビーム選択ベクトルであり、ｍｒ１は第１偏波方向の位相回転であり、ｍｒ２は第２偏波方向の位相回転である。
【００１１】
例えば、１つの実現形式は以下の通りである。
【００１２】
ｒａｎｋ＝１について、
【数３】
2016189591.tif 000006
【００１３】
ｒａｎｋ＝２について、
【数４】
2016189591.tif 000007
【００１４】
一方、ＬＴＥ  Ｒｅｌ．１０システムでは、ユーザのために異なる粒度のフィードバック情報を提供し、システムの性能を向上するため、周期的フィードバック方式及び非周期的フィードバック方式が提出されている。
【００１５】
伝送モード９／１０について、ＰＭＩ／ＲＩフィードバックを採用する場合、ユーザによりサポートされている周期的フィードバックモードは、モード１−１及びモード２−１等を含む。
【００１６】
ユーザは、モード１−１を用いて、ランクインジケータ（ＲＩ、Ｒａｎｋ  Ｉｎｄｉｃａｔｉｏｎ）及びワイドバンドのプリコーディングマトリックスインジケータ（ＰＭＩ、Ｐｒｅｃｏｄｉｎｇ  Ｍａｔｒｉｘ  Ｉｎｄｉｃａｔｏｒ）／チャネル品質インジケータ（ＣＱＩ、Ｃｈａｎｎｅｌ  Ｑｕａｌｉｔｙ  Ｉｎｄｉｃａｔｏｒ）情報をフィードバックする。システムが８個のアンテナポートを構成する場合、２つのサブモードを含み、そのうちサブモード１の第１フレームはＲＩ及びワイドバンド第１プリコーディングマトリックスインジケータ（ＰＭＩ  Ｗ１）をフィードバックし、第２のサブフレームはワイドバンド第２プリコーディングマトリックスインジケータ（ＰＭＩ  Ｗ２）及びワイドバンドＣＱＩ情報をフィードバックする。サブモード２の第１フレームはＲＩ情報をフィードバックし、第２のフレームはワイドバンドＰＭＩ  Ｗ１、ＰＭＩ  Ｗ２及びＣＱＩ情報をフィードバックする。
【００１７】
ユーザは、モード２−１を用いて、ＲＩ、ワイドバンドＰＭＩ／ＣＱＩ、サブバンドＣＱＩ及びサブバンドラベル情報をフィードバックする。システムが８個のアンテナポートを構成する場合、第１フレームはＲＩ及びＰＴＩ（Ｐｒｅｃｏｄｉｎｇ  Ｔｙｐｅ  Ｉｎｄｉｃａｔｉｏｎ）情報をフィードバックし、ＰＴＩ＝０のとき、第２のサブフレームはワイドバンドＰＭＩ  Ｗ１情報をフィードバックし、第３のサブフレームはワイドバンドＰＭＩ  Ｗ２及びワイドバンドＣＱＩ情報をフィードバックし、ＰＴＩ＝１のとき、第２のサブフレームはワイドバンドＰＭＩ  Ｗ２及びワイドバンドＣＱＩ情報をフィードバックし、第３のサブフレームはサブバンドＰＭＩ  Ｗ２、サブバンドＣＱＩ情報及びサブバンドラベル情報をフィードバックする。
【００１８】
非周期的フィードバックについて、ユーザがＰＭＩ／ＲＩを用いてフィードバックする場合、サポートされた非周期的フィードバックモードはモード１−２、モード２−２及びモード３−１を含む。そのうち、モード１−２はワイドバンドＣＱＩ及びサブバンドＰＭＩフィードバックモードに対応し、モード２−２はワイドバンドＰＭＩ、ＣＱＩ及びユーザが最も良いＭサブバンドのＰＭＩ、ＣＱＩを選択することのフィードバックモードに対応し、モード３−１はワイドバンドＰＭＩ、サブバンドＣＱＩフィードバックモードに対応する。そのうち、非周期的フィードバックｍｏｄｅ３−１について、そのフィードバック内容は表１、２に示され、２／４アンテナポート及び８アンテナポートの場合のフィードバック内容にそれぞれ対応する。
【表１】
2016189591.tif 000008
表１
【表２】
2016189591.tif 000009
表２
【００１９】
非周期的フィードバックの場合には、ビットカスケード順序は、各フィールドのビット情報の順でカスケードし、フィールドに複数のサブバンド情報が存在するとき、サブバンドラベル情報の大きい順でカスケードする。
【００２０】
ＲＡＮ１  ７２ｂ会議では、強化ＭＩＭＯシステムに新しい非周期的フィードバックモード３−２が導入され、該モードは４ビットのワイドバンドＣＱＩ情報、各サブバンドの２ビットの差分ＣＱＩ情報、ワイドバンドＰＭＩ１情報、各サブバンドのＰＭＩ２情報を含む。非周期的フィードバックモード３−２の関連結論として、ＰＭＩ／ＣＱＩのサブバンド粒度が同じであり、且つ従来の標準定義と同じであると仮定されている。そのうち、差分ＣＱＩ符号化スキーム及びシステムフィードバックワイドバンド構成は表３、表４に示されている。
【表３】
2016189591.tif 000010
表３
【表４】
2016189591.tif 000011
表４
【００２１】
ユーザはＰＭＩ／ＲＩを用いて報告する場合、ＤＭ−ＲＳに基づく伝送モード８、９、１０で非周期的フィードバックモード３−２を構成してもよく、Ｒ８のコードブック（即ちシングルコードワードのコードブック）を用いる場合、伝送モード４、６で非周期的伝送モード３−２を構成してもよい。
【００２２】
しかし、本発明の発明者の発見によれば、フィードバックオーバーヘッドとシステム性能の利得の折衷案が存在するが、従来はＭＩＭＯについての情報フィードバックの技術的スキームは十分に最適化されていない。
【００２３】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【００２４】
本発明の実施例は、ＭＩＭＯにおける情報フィードバックを強化し、情報フィードバックの技術的スキームをさらに最適化する情報フィードバック方法、ユーザ装置及び基地局を提供することを目的とする。
【課題を解決するための手段】
【００２５】
本発明の実施例の一の態様では、アップリンク制御情報の伝送方法であって、ユーザ装置が非周期的フィードバックモード３−２をサポートし、該伝送方法は、ＣＳＩ（チャネル状態情報）要求のビット数が１であり、且つ非周期的報告がトリガされた場合、前記ユーザ装置がフィードバックを行うためのＰＲＢ（物理リソースブロック）の最大数を５から８のうちの１つとし、或いはＣＳＩ要求のビット数が２であり、且つ１つのセルの非周期的報告がトリガされた場合、前記ユーザ装置がフィードバックを行うためのＰＲＢの最大数を５から８のうちの１つとする、方法を提供する。
【００２６】
本発明の実施例の他の態様では、アップリンク制御情報の構成方法であって、ユーザ装置が非周期的フィードバックモード３−２をサポートし、該構成方法は、ＣＳＩ（チャネル状態情報）要求のビット数が１であり、且つ非周期的報告がトリガされた場合、基地局により前記ユーザ装置のために構成されたフィードバック用のＰＲＢ（物理リソースブロック）の最大数を５から８のうちの１つとし、或いはＣＳＩ要求のビット数が２であり、且つ１つのセルの非周期的報告がトリガされた場合、前記基地局により前記ユーザ装置のために構成されたフィードバック用のＰＲＢの最大数を５から８のうちの１つとする、方法を提供する。
【００２７】
本発明の実施例の他の態様では、情報フィードバック方法であって、基地局がユーザ装置のために参照ランクインジケータのＣＳＩ（チャネル状態情報）プロセスを構成する場合、ユーザ装置は、前記参照ランクインジケータのＣＳＩプロセスとリンクのＣＳＩプロセスのために異なるコードブックを構成するためのシグナリングを受信することを期待しない、方法を提供する。
【００２８】
本発明の実施例の他の態様では、情報構成方法であって、基地局は、ユーザ装置の参照ランクインジケータのＣＳＩ（チャネル状態情報）プロセスのために、リンクのＣＳＩプロセスと同じコードブックを構成する、方法を提供する。
【００２９】
本発明の実施例の他の態様では、情報フィードバック方法であって、ユーザ装置が周期的フィードバックモード２−１をサポートし、且つダブルコードブックを用い、該情報フィードバック方法は、ＰＭＩ（プリコーディングマトリックスインジケータ）のサブバンド粒度とＣＱＩ（チャネル品質インジケータ）のサブバンド粒度とが異なる場合、前記ユーザ装置はそのうち小さいサブバンド粒度をＰＭＩ及びＣＱＩのジョイントのサブバンド粒度として選択する、方法を提供する。
【００３０】
本発明の実施例の他の態様では、情報フィードバック方法であって、ユーザ装置がダブルコードブックを用い、該情報フィードバック方法は、前記ユーザ装置は、周期的フィードバックモード１−１のサブモード１を用い、且つランクが１又は２である場合、ワイドバンド第１ＰＭＩ（プリコーディングマトリックスインジケータ）の大きさを３ビット以下に制限する、方法を提供する。
【００３１】
本発明の実施例の他の態様では、情報フィードバック方法であって、該情報フィードバック方法は、ユーザ装置が周期的フィードバックモード２−１を用いる場合、１１ビットを用いて第３フレームにおけるサブバンド第２ＰＭＩ（プリコーディングマトリックスインジケータ）、サブバンドＣＱＩ（チャネル品質インジケータ）及びサブバンドラベル情報をフィードバックする、方法を提供する。
【００３２】
本発明の実施例の他の態様では、情報フィードバック方法であって、ユーザ装置がダブルコードブックを用い、該情報フィードバック方法は、前記ユーザ装置は、周期的フィードバックモード１−１のサブモード２を用いる場合、ワイドバンド第１ＰＭＩ（プリコーディングマトリックスインジケータ）を３ビット以下に制限する、方法を提供する。
【００３３】
本発明の実施例の他の態様では、情報フィードバック方法であって、該情報フィードバック方法は、ユーザ装置が１つのフレームを用いてサブバンドＰＭＩ（プリコーディングマトリックスインジケータ）、サブバンドＣＱＩ（チャネル品質インジケータ）及びサブバンドラベル情報をフィードバックする、方法を提供する。
【００３４】
本発明の実施例の他の態様では、情報フィードバック方法であって、該情報フィードバック方法は、ユーザ装置が、基地局がフィードバック粒度を示すための指示情報に基づいて前記ユーザ装置の調整後のフィードバック粒度を取得するように、前記基地局に前記指示情報を報告する、方法を提供する。
【００３５】
本発明の実施例の他の態様では、ユーザ装置であって、非周期的フィードバックモード３−２を用いてフィードバックするフィードバック手段を含み、ＣＳＩ（チャネル状態情報）要求のビット数が１であり、且つ非周期的報告がトリガされた場合、フィードバックを行うためのＰＲＢ（物理リソースブロック）の最大数は５から８のうちの１つであり、或いはＣＳＩ要求のビット数が２であり、且つ１つのセルの非周期的報告がトリガされた場合、フィードバックを行うためのＰＲＢの最大数は５から８のうちの１つである、ユーザ装置を提供する。
【００３６】
本発明の実施例の他の態様では、基地局であって、ユーザ装置が非周期的フィードバックモード３−２をサポートする場合にリソース構成を行う構成手段を含み、ＣＳＩ（チャネル状態情報）要求のビット数が１であり、且つ非周期的報告がトリガされた場合、前記ユーザ装置のために構成されたフィードバック用のＰＲＢ（物理リソースブロック）の最大数は５から８のうちの１つであり、或いはＣＳＩ要求のビット数が２であり、且つ１つのセルの非周期的報告がトリガされた場合、前記ユーザ装置のために構成されたフィードバック用のＰＲＢの最大数は５から８のうちの１つである、基地局を提供する。
【００３７】
本発明の実施例の他の態様では、ユーザ装置であって、基地局がユーザ装置のために参照ランクインジケータのＣＳＩ（チャネル状態情報）プロセスを構成する場合、前記参照ランクインジケータのＣＳＩプロセスとリンクのＣＳＩプロセスのために異なるコードブックを構成するためのシグナリングを受信することを期待しないフィードバック手段を含む、ユーザ装置を提供する。
【００３８】
本発明の実施例の他の態様では、基地局であって、ユーザ装置の参照ランクインジケータのＣＳＩ（チャネル状態情報）プロセスのために、リンクのＣＳＩプロセスと同じコードブックを構成する構成部を含む、基地局を提供する。
【００３９】
本発明の実施例の他の態様では、ユーザ装置であって、周期的フィードバックモード２−１を用い、且つダブルコードブックを用いてフィードバックするフィードバック手段を含み、ＰＭＩ（プリコーディングマトリックスインジケータ）のサブバンド粒度とＣＱＩ（チャネル品質インジケータ）のサブバンド粒度とが異なる場合、そのうち小さいサブバンド粒度をＰＭＩ及びＣＱＩのジョイントのサブバンド粒度として選択する、ユーザ装置を提供する。
【００４０】
本発明の実施例の他の態様では、ユーザ装置であって、周期的フィードバックモード１−１のサブモード１を用いてフィードバックするフィードバック手段を含み、ランクが１又は２である場合、ワイドバンド第１ＰＭＩ（プリコーディングマトリックスインジケータ）の大きさを３ビット以下に制限する、ユーザ装置を提供する。
【００４１】
本発明の実施例の他の態様では、ユーザ装置であって、周期的フィードバックモード２−１を用いてフィードバックするフィードバック手段を含み、１１ビットを用いて第３フレームにおけるサブバンド第２ＰＭＩ（プリコーディングマトリックスインジケータ）、サブバンドＣＱＩ（チャネル品質インジケータ）及びサブバンドラベル情報をフィードバックする、ユーザ装置を提供する。
【００４２】
本発明の実施例の他の態様では、ユーザ装置であって、周期的フィードバックモード１−１のサブモード２を用いてフィードバックする場合、ワイドバンド第１ＰＭＩ（プリコーディングマトリックスインジケータ）を３ビット以下に制限するフィードバック手段を含む、ユーザ装置を提供する。
【００４３】
本発明の実施例の他の態様では、ユーザ装置であって、１つのフレームを用いてサブバンドＰＭＩ（プリコーディングマトリックスインジケータ）、サブバンドＣＱＩ（チャネル品質インジケータ）及びサブバンドラベル情報をフィードバックするフィードバック手段を含む、ユーザ装置を提供する。
【００４４】
本発明の実施例の他の態様では、ユーザ装置であって、基地局がフィードバック粒度を示すための指示情報に基づいて前記ユーザ装置の調整後のフィードバック粒度を取得するように、前記基地局に前記指示情報を報告するフィードバック手段を含む、ユーザ装置を提供する。
【００４５】
本発明の実施例の他の態様では、上記のユーザ装置と、上記の基地局とを含む、通信システムを提供する。
【００４６】
本発明の実施例の他の態様では、ユーザ装置においてプログラムを実行する際に、コンピュータに、上記の情報フィードバック方法を前記ユーザ装置において実行させる、コンピュータ読み取り可能なプログラムを提供する。
【００４７】
本発明の実施例の他の態様では、コンピュータに、上記の情報フィードバック方法をユーザ装置において実行させるためのコンピュータ読み取り可能なプログラムを記憶する、記憶媒体を提供する。
【００４８】
本発明の実施例の他の態様では、基地局においてプログラムを実行する際に、コンピュータに、上記の情報構成方法を前記基地局において実行させる、コンピュータ読み取り可能なプログラムを提供する。
【００４９】
本発明の実施例の他の態様では、コンピュータに、上記の情報構成方法を基地局において実行させるためのコンピュータ読み取り可能なプログラムを記憶する、記憶媒体を提供する。
【００５０】
本発明の実施例の有益な効果としては、ＭＩＭＯにおける情報フィードバックを強化でき、情報フィードバックの技術的スキームをさらに最適化できる。
【００５１】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００５２】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００５３】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００５４】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。
【００５５】
本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】本発明の実施例１のアップリンク制御情報の伝送方法の１つのフローチャートである。
【図２】本発明の実施例１のアップリンク制御情報の伝送方法のもう１つのフローチャートである。
【図３】本発明の実施例１のアップリンク制御情報の伝送方法のもう１つのフローチャートである。
【図４】本発明の実施例１のアップリンク制御情報の伝送方法のもう１つのフローチャートである。
【図５】本発明の実施例１のユーザ装置の１つの構成を示す図である。
【図６】本発明の実施例１のアップリンク制御情報の構成方法のもう１つのフローチャートである。
【図７】本発明の実施例１のアップリンク制御情報の構成方法のもう１つのフローチャートである。
【図８】本発明の実施例１のアップリンク制御情報の構成方法のもう１つのフローチャートである。
【図９】本発明の実施例１のアップリンク制御情報の構成方法のもう１つのフローチャートである。
【図１０】本発明の実施例１の基地局の１つの構成を示す図である。
【図１１】本発明の実施例２の情報フィードバック方法の１つのフローチャートである。
【図１２】本発明の実施例２のユーザ装置の１つの構成を示す図である。
【図１３】本発明の実施例２の情報構成方法のもう１つのフローチャートである。
【図１４】本発明の実施例２の基地局の１つの構成を示す図である。
【図１５】本発明の実施例３の情報フィードバック方法の１つのフローチャートである。
【図１６】本発明の実施例３のユーザ装置の１つの構成を示す図である。
【図１７】本発明の実施例４の情報フィードバック方法の１つのフローチャートである。
【図１８】本発明の実施例４の情報フィードバック方法のもう１つのフローチャートである。
【図１９】本発明の実施例４の情報フィードバック方法のもう１つのフローチャートである。
【図２０】本発明の実施例４のユーザ装置の１つの構成を示す図である。
【図２１】本発明の実施例５の情報フィードバック方法の１つのフローチャートである。
【図２２】本発明の実施例５のユーザ装置の１つの構成を示す図である。
【図２３】本発明の実施例６の情報フィードバック方法の１つのフローチャートである。
【図２４】本発明の実施例６のフィードバック精度を変更することを示す図である。
【図２５】本発明の実施例６のユーザ装置の１つの構成を示す図である。
【図２６】本発明の実施例６の情報構成方法の１つのフローチャートである。
【図２７】本発明の実施例６の基地局の１つの構成を示す図である。
【図２８】本発明の実施例６の通信システムの１つの構成を示す図である。
【発明を実施するための形態】
【００５６】
図面を参照しながら、本発明の上記及び他の特徴を説明する。下記の説明及び図面に示すように、本発明の特定の実施形態が詳細に開示され、本発明の原理を採用できる実施形態の一部が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００５７】
＜実施例１＞
本発明の実施例はアップリンク制御情報の伝送方法を提供し、ユーザ装置側の角度から説明する。ユーザ装置は非周期的フィードバックモード３−２を用いる。本実施例は、アップリンク制御情報（ＵＣＩ、Ｕｐｌｉｎｋ  Ｃｏｎｔｒｏｌ  Ｉｎｆｏｒｍａｔｉｏｎ）の伝送のみを行う物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）に適用する。
【００５８】
図１は本発明の実施例のアップリンク制御情報の伝送方法の１つのフローチャートである。図１に示すように、該アップリンク制御情報の伝送方法は以下のステップを含む。
【００５９】
ステップ１０１：チャネル状態情報（ＣＳＩ、Ｃｈａｎｎｅｌ  Ｓｔａｔｅ  Ｉｎｆｏｒｍａｔｉｏｎ）要求のビット数が１であり、且つ非周期的報告がトリガされた場合、ユーザ装置がフィードバックを行うための物理リソースブロック（ＰＲＢ、Ｐｈｙｓｉｃａｌ  Ｒｅｓｏｕｒｃｅ  Ｂｌｏｃｋ）の最大数を５から８のうちの１つとする。
【００６０】
図２は本発明の実施例のアップリンク制御情報の伝送方法のもう１つのフローチャートである。図２に示すように、該アップリンク制御情報の伝送方法は、以下のステップを含む。
【００６１】
ステップ２０１：ＣＳＩ要求のビット数が２であり、且つ１つのセルの非周期的報告がトリガされた場合、ユーザ装置がフィードバックを行うためのＰＲＢの最大数を５から８のうちの１つとする。
【００６２】
ここで、ＣＳＩ要求のビット数が１であり、且つ非周期的報告がトリガされた場合のフィードバックのＰＲＢの最大数は、ＣＳＩ要求のビット数が２であり、且つ１つのセルの非周期的報告がトリガされた場合のフィードバックのＰＲＢの最大数と同じであり、ユーザ装置がフィードバックを行うためのＰＲＢの最大数は、５から８のうちの１つである場合、好ましくは５又は６であってもよい。
【００６３】
図３は本発明の実施例のアップリンク制御情報の伝送方法のもう１つのフローチャートである。図３に示すように、該アップリンク制御情報の伝送方法は以下のステップを含む。
【００６４】
ステップ３０１：ＣＳＩ要求のビット数が２であり、且つ複数のセルの非周期的報告がトリガされた場合、ユーザ装置がフィードバックを行うためのＰＲＢの最大数を２５から４０のうちの１つとする。
【００６５】
図４は本発明の実施例のアップリンク制御情報の伝送方法のもう１つのフローチャートである。図４に示すように、該アップリンク制御情報の伝送方法は以下のステップを含む。
【００６６】
ステップ４０１：ＣＳＩ要求のビット数が２であり、且つ複数のＣＳＩの非周期的報告がトリガされた場合、ユーザ装置がフィードバックを行うためのＰＲＢの最大数を２５から４０のうちの１つとする。
【００６７】
ここで、ＣＳＩ要求のビット数が２であり、且つ複数のセルの非周期的報告がトリガされた場合のフィードバックのＰＲＢの最大数は、ＣＳＩ要求のビット数が２であり、且つ複数のＣＳＩの非周期的報告がトリガされた場合のフィードバックのＰＲＢの最大数と同じであり、ユーザ装置がフィードバックを行うためのＰＲＢの最大数は、２５から４０のうちの１つである場合、好ましくは２５、３０から３２のうちの１つであってもよい。
【００６８】
本実施例では、ユーザ装置が伝送モード９又は１０、ＰＭＩ／ＲＩ報告を構成し、且つダブルコードブックを用いる場合、４アンテナポートのフィードバックについて、サブバンド第２ＰＭＩは、ランクが１又は２のときにＫ１Ｎ２ビットであり、ランクが３のときにＫ２Ｎ２ビットであり、ランクが４のときにＫ３Ｎ２ビットであり、そのうち、Ｋ１、Ｋ２及びＫ３はダブルコードブックのＷ２の大きさにより決定された定数であり、Ｎ２はＰＭＩのサブバンド数である。具体的には、表５に示されるものであってもよい。
【表５】
2016189591.tif 000012
表５
【００６９】
そのうち、好ましくは、Ｋ１＝Ｋ２＝Ｋ３＝４、又はＫ１＝Ｋ２＝４、Ｋ３＝３。なお、本発明はこれに限定されず、他の数値を用いてもよい。
【００７０】
本実施例では、ユーザ装置が伝送モード８、９又は１０、及びＰＭＩ／ＲＩ報告を構成する場合、８アンテナポートのフィードバックについて、サブバンド差分ＣＱＩコードワード０は、ランクが１から８のときに２Ｎ１ビットであり、サブバンド差分ＣＱＩコードワード１は、ランクが２から８のときに２Ｎ１ビットであり、サブバンド第２ＰＭＩは、ランクが１から３のときに４Ｎ２ビットであり、ランクが４のときに３Ｎ２ビットであり、そのうち、Ｎ１はＣＱＩのサブバンド数であり、Ｎ２はＰＭＩのサブバンド数である。
【表６】
2016189591.tif 000013
表６
【００７１】
そのうち、好ましくは、Ｎ１＝Ｎ２、且つＲ１０標準定義と一致してもよい。なお、表５及び表６における数値について、本発明はこれに限定されず、実際の状況に応じて調整してもよい。
【００７２】
本実施例では、サブバンド第２ＰＭＩの大きさ又はサブバンド数に基づいて、フィードバックのＰＲＢの最大数を計算してもよい。また、フィードバックのＰＲＢの最大数は、基地局によりユーザ装置のために構成されたアップリンクリソースのＰＲＢの数以下である。
【００７３】
これによって、非周期的フィードバックモード３−２の最大フィードバックオーバーヘッドは８Ｎ＋１２であり、そのうち、Ｎはサブバンド数である。表７には、いくつのフィードバックモードの最大フィードバックオーバーヘッドの状況が示されている。
【表７】
2016189591.tif 000014
表７
【００７４】
そのうち、Ｎはサブバンド数であり、Ｌはサブバンド選択数に関連し、例えばＮからＭ個のサブバンドを選択するためのビット数Ｌ＝ｌｏｇ２（ＣＭＮ）。
【００７５】
本実施例では、例えばシステム帯域幅が２０Ｍである場合、
【数５】
2016189591.tif 000015
、モード３−２の最大フィードバックオーバーヘッドは８＊１３＋１２＝１１６ビットであり、一方、既存のフィードバックモード、例えばモード３−１の最大フィードバックオーバーヘッドは４＊１３＋１６＝６８である。よって、モード３−２のフィードバックオーバーヘッドは０．７倍増加し、ＰＵＳＣＨを用いてＣＱＩ／ＰＭＩ情報のみを伝送する場合、最大でサポートされた帯域幅が４ＰＲＢであり、一方、フィードバックモード３−２を導入した後に、フィードバックオーバーヘッドは０．７倍増加し、性能の要求を満たすため２〜３ＰＲＢを増加する必要がある。
【００７６】
言い換えれば、ユーザがモード３−２をサポートできる場合、その最大構成のＰＲＢが６〜７ＰＲＢであり、ＰＵＳＣＨで制御情報のみを伝送する。キャリアアグリゲーション及び複数のチャネル状態情報（ＣＳＩ、Ｃｈａｎｎｅｌ  Ｓｔａｔｅ  Ｉｎｆｏｒｍａｔｉｏｎ）プロセスの状況を考慮し、本実施例の最大構成のＰＲＢ数は以下の通りである。「ＣＳＩ  ｒｅｑｕｅｓｔ」ビット数が１ビットであり、且つ非周期的報告がトリガされた場合、最大ＮＰＲＢ≦５〜８（例えば５又は６）、或いは「ＣＳＩ  ｒｅｑｕｅｓｔ」ビット数が２ビットであり、且つ１つのセルの非周期的報告がトリガされた場合、ＮＰＲＢ≦５〜８（例えば５又は６）、或いは「ＣＳＩ  ｒｅｑｕｅｓｔ」ビット数が２ビットであり、且つ複数のセルの非周期的報告がトリガされた場合、ＮＰＲＢ≦２５〜４０（例えば２５、３０又は３２）、或いは「ＣＳＩ  ｒｅｑｕｅｓｔ」ビット数が２ビットであり、且つ複数のＣＳＩの非周期的報告がトリガされた場合、ＮＰＲＢ≦２５〜４０（例えば２５、３０又は３２）。
【００７７】
以下は、ＰＲＢを増加した後の効果を説明する。ＵＣＩ−ｏｎｌｙのＰＵＳＣＨについて、ＰＵＳＣＨにおけるサウンディング参照信号（ＳＲＳ、Ｓｏｕｎｄｉｎｇ  Ｒｅｆｅｒｅｎｃｅ  Ｓｙｍｂｏｌｅ）が１つのＳＣ−ＦＤＭＡシンボルを占め、ＨＡＲＱのＡＣＫ／ＮＡＣＫフィードバック情報が４つのＳＣ−ＦＤＭＡシンボルを占め（最大重複可能の場合）、ランクインジケータ（ＲＩ、Ｒａｎｋ  Ｉｎｄｉｃａｔｏｒ）情報が４つのＳＣ−ＦＤＭＡシンボルを占め（最大重複可能の場合）、変調方式がＱＰＳＫであると仮定する。
【００７８】
通常のサイクリックプレフィックス（ＣＰ、Ｃｙｃｌｉｃ  Ｐｒｅｆｉｘ）サブフレームについて、表８はＵＣＩ−ｏｎｌｙ場合のＱＰＳＫコードレート情報を示し、拡張ＣＰサブフレームについて、表９はＣＱＩ−ｏｎｌｙ場合のＱＰＳＫコードレート情報を示している。
【表８】
2016189591.tif 000016
表８  ＵＣＩ−ｏｎｌｙの場合のＱＰＳＫコードレート（通常ＣＰ）
【表９】
2016189591.tif 000017
表９  ＵＣＩ−ｏｎｌｙの場合のＱＰＳＫコードレート（拡張ＣＰ）
【００７９】
表８から分かるように、通常ＣＰの場合は、６ＲＢに拡張すると、全ての多重化の状況を確保でき、システムコードレートが１／３よりも小さく、Ｒ８に定義されたシステム性能要求に達している。表９から分かるように、拡張ＣＰの場合は、ＵＣＩ−ｏｎｌｙのＰＲＢを６ＲＢに拡張すると、容認できるコードレートを得られ、基本的にＲ８の性能要求を満たす。
【００８０】
本発明の実施例はユーザ装置をさらに提供し、図５は本発明の実施例のユーザ装置の１つの構成を示す図である。図５に示すように、ユーザ装置５００はフィードバック部５０１を含み、ユーザ装置５００の他の構成部は従来技術を参照してもよい。
【００８１】
フィードバック部５０１は、非周期的フィードバックモード３−２を用いてフィードバックする。ＣＳＩ要求のビット数が１であり、且つ非周期的報告がトリガされた場合、フィードバックを行うためのＰＲＢの最大数は５から８のうちの１つであり、或いはＣＳＩ要求のビット数が２であり、且つ１つのセルの非周期的報告がトリガされた場合、フィードバックを行うためのＰＲＢの最大数は５から８のうちの１つであり、或いはＣＳＩ要求のビット数が２であり、且つ複数のセルの非周期的報告がトリガされた場合、フィードバックを行うためのＰＲＢの最大数は２５から４０のうちの１つであり、或いはＣＳＩ要求のビット数が２であり、且つ複数のＣＳＩの非周期的報告がトリガされた場合、フィードバックを行うためのＰＲＢの最大数は２５から４０のうちの１つである。
【００８２】
本発明の実施例はアップリンク制御情報の構成方法をさらに提供する。基地局側の角度から説明する。ここで、ユーザ装置は非周期的フィードバックモード３−２を用いる。
【００８３】
図６は本発明の実施例のアップリンク制御情報の構成方法の１つのフローチャートである。図６に示すように、該アップリンク制御情報の構成方法は以下のステップを含む。
【００８４】
ステップ６０１：ＣＳＩ要求のビット数が１であり、且つ非周期的報告がトリガされた場合、基地局によりユーザ装置のために構成されたフィードバック用のＰＲＢの最大数を５から８のうちの１つとする。
【００８５】
図７は本発明の実施例のアップリンク制御情報の構成方法のもう１つのフローチャートである。図７に示すように、該アップリンク制御情報の構成方法は以下のステップを含む。
【００８６】
ステップ７０１：ＣＳＩ要求のビット数が２であり、且つ１つのセルの非周期的報告がトリガされた場合、基地局によりユーザ装置のために構成されたフィードバック用のＰＲＢの最大数を５から８のうちの１つとする。
【００８７】
図８は本発明の実施例のアップリンク制御情報の構成方法のもう１つのフローチャートである。図８に示すように、該アップリンク制御情報の構成方法は以下のステップを含む。
【００８８】
ステップ８０１：ＣＳＩ要求のビット数が２であり、且つ複数のセルの非周期的報告がトリガされた場合、基地局によりユーザ装置のために構成されたフィードバック用のＰＲＢの最大数を２５から４０のうちの１つとする。
【００８９】
図９本発明の実施例のアップリンク制御情報の構成方法のもう１つのフローチャートである。図９に示すように、該アップリンク制御情報の構成方法は以下のステップを含む。
【００９０】
ステップ９０１：ＣＳＩ要求のビット数が２であり、且つ複数のＣＳＩの非周期的報告がトリガされた場合、基地局によりユーザ装置のために構成されたフィードバック用のＰＲＢの最大数を２５から４０のうちの１つとする。
【００９１】
本発明の実施例は基地局をさらに提供し、図１０は本発明の実施例の基地局の１つの構成を示す図である。図１０に示すように、基地局１０００は構成部１００１を含み、基地局１０００の他の構成部は従来技術を参照してもよい。
【００９２】
構成部１００１は、ユーザ装置が非周期的フィードバックモード３−２を用いる場合にリソース構成を行う。ＣＳＩ要求のビット数が１であり、且つ非周期的報告がトリガされた場合、ユーザ装置のために構成されたフィードバック用のＰＲＢの最大数は５から８のうちの１つであり、或いはＣＳＩ要求のビット数が２であり、且つ１つのセルの非周期的報告がトリガされた場合、ユーザ装置のために構成されたフィードバック用のＰＲＢの最大数は５から８のうちの１つであり、或いはＣＳＩ要求のビット数が２であり、且つ複数のセルの非周期的報告がトリガされた場合、ユーザ装置のために構成されたフィードバック用のＰＲＢの最大数は２５から４０のうちの１つであり、或いはＣＳＩ要求のビット数が２であり、且つ複数のＣＳＩの非周期的報告がトリガされた場合、ユーザ装置のために構成されたフィードバック用のＰＲＢの最大数は２５から４０のうちの１つである。
【００９３】
上記の実施例によれば、ＭＩＭＯにおける情報フィードバックを強化でき、情報フィードバックの技術的スキームをさらに最適化できる。
【００９４】
＜実施例２＞
本発明の実施例は情報フィードバック方法を提供し、ユーザ装置側の角度から説明する。図１１は本発明の実施例の情報フィードバック方法の１つのフローチャートである。図１１に示すように、該情報フィードバック方法は以下のステップを含む。
【００９５】
ステップ１１０１：基地局がユーザ装置のために参照ランクインジケータのＣＳＩプロセスを構成する場合、ユーザ装置は、参照ランクインジケータのＣＳＩプロセスとリンクのＣＳＩプロセスのために異なるコードブックを構成するためのシグナリングを受信することを期待しない。
【００９６】
現在の会議の結論によると、基地局は、各ＣＳＩプロセスに基づいて、ユーザが用いるコードブックを独立して構成してもよい。基地局が複数のＣＳＩプロセスのフィードバック情報に基づいてジョイント伝送を行う必要がある場合、ユーザのためにＲＩ参照プロセスを構成する。ＲＩ参照プロセスを構成することで、基地局側の実現を簡略化した。異なるＣＳＩプロセスに異なるコードブックを構成すると、付加的なテスト複雑さをもたらした。また、ジョイント伝送における２つの独立的に設計したコードブックのシステム性能への影響も確定できない。
【００９７】
従って、本実施例では、ユーザの行為を定義した。ユーザ装置は、参照ＲＩプロセスを構成する場合、基地局が参照ＲＩのＣＳＩプロセスとリンクのＣＳＩプロセスのために異なるコードブックを構成することを期待しない。即ち、ユーザ装置は、基地局により参照ＲＩのＣＳＩプロセスのために構成された、リンクのＣＳＩプロセスと同じコードブックを用いてフィードバックする。言い換えれば、基地局は、参照ＲＩのＣＳＩプロセスのコードブックに基づいてリンクＣＳＩプロセスのコードブックを構成する。
【００９８】
本発明の実施例はユーザ装置をさらに提供し、図１２は本発明の実施例のユーザ装置の１つの構成を示す図である。図１２に示すように、ユーザ装置１２００はフィードバック部１２０１を含み、ユーザ装置１２００の他の構成部は従来技術を参照してもよい。
【００９９】
フィードバック部１２０１は、基地局がユーザ装置のために参照ランクインジケータのＣＳＩプロセスを構成する場合、ユーザ装置が参照ランクインジケータのＣＳＩプロセスとリンクのＣＳＩプロセスのために異なるコードブックを構成するためのシグナリングを受信することを期待しない。
【０１００】
本発明の実施例は情報構成方法をさらに提供し、基地局側の角度から説明する。図１３は本発明の実施例の情報構成方法の１つのフローチャートである。図１３に示すように、該情報構成方法は以下のステップを含む。
【０１０１】
ステップ１３０１：基地局は、ユーザ装置の参照ランクインジケータのＣＳＩプロセスのために、リンクのＣＳＩプロセスと同じコードブックを構成する。
【０１０２】
本発明の実施例は基地局をさらに提供し、図１４は本発明の実施例の基地局の１つの構成を示す図である。図１４に示すように、基地局１４００は構成部１４０１を含み、基地局１４００の他の構成部は従来技術を参照してもよい。
【０１０３】
構成部１４０１は、ユーザ装置の参照ランクインジケータのＣＳＩプロセスのために、リンクのＣＳＩプロセスと同じコードブックを構成する。
【０１０４】
上記の実施例によれば、ＭＩＭＯにおける情報フィードバックを強化でき、情報フィードバックの技術的スキームをさらに最適化できる。
【０１０５】
＜実施例３＞
本発明の実施例は情報フィードバック方法を提供し、ユーザ装置側の角度から説明する。ユーザ装置は、周期的フィードバックモード２−１を用い、且つダブルコードブックを用いる。
【０１０６】
図１５は本発明の実施例３の情報フィードバック方法の１つのフローチャートである。図１５に示すように、該情報フィードバック方法は以下のステップを含む。
【０１０７】
ステップ１５０１：ユーザ装置は、ＰＭＩのサブバンド粒度とＣＱＩのサブバンド粒度とが異なる場合、そのうち小さいサブバンド粒度をＰＭＩ及びＣＱＩのジョイントのサブバンド粒度として選択する。
【０１０８】
本実施例では、サブバンドＰＭＩとＣＱＩのフィードバック粒度が一致していない場合、新しいコードブック（即ちダブルコードブック）を用いるとき、周期的フィードバックモード２−１はサブバンドＰＭＩとＣＱＩとサブバンドラベル情報のフィードバックを含んでもよい。そのうち、ＰＭＩはサブバンドＰＭＩ  Ｗ２に対応し、ＣＱＩはサブバンドＣＱＩに対応する。ＰＭＩとＣＱＩのサブバンド粒度が異なる場合、小さいサブバンド粒度をＰＭＩ／ＣＱＩのジョイントサブバンド粒度として選択してもよい。
【０１０９】
具体的には、ＣＱＩのサブバンド粒度がＰＭＩのサブバンド粒度よりも小さい場合、ＣＱＩのサブバンドインデックス情報を増加させる。
【０１１０】
例えば、ＣＱＩの粒度がＰＭＩの粒度に比べて１倍細かい場合、それらのフィードバック形式は、ＰＭＩ／ＣＱＩ／ＰＭＩ  ｓｕｂｂａｎｄ  ｉｎｄｅｘ、ＣＱＩ／ＣＱＩ  ｓｕｂｂａｎｄ  ｉｎｄｅｘ  １、ｓｕｂｂａｎｄ  ｉｎｄｅｘ  ２である。よって、新しいフィードバックタイプＣＱＩ／ＣＱＩ  ｓｕｂｂａｎｄ  ｉｎｄｅｘ  １、ｓｕｂｂａｎｄ  ｉｎｄｅｘ  ２を定義する必要がある。しかし、現在のプロトコルはＣＱＩ／ＣＱＩ  ｓｕｂｂａｎｄ  ｉｎｄｅｘ  １のみをサポートする。
【０１１１】
即ち、１つのフレームでサブバンドＰＭＩ、サブバンドＣＱＩ及びＰＭＩのサブバンドラベル情報をフィードバックし、他のフレームでサブバンドＣＱＩ及びＣＱＩのサブバンドラベル情報を指示してもよい。
【０１１２】
本発明の実施例はユーザ装置をさらに提供し、図１６は本発明の実施例のユーザ装置の１つの構成を示す図である。図１６に示すように、ユーザ装置１６００はフィードバック部１６０１を含み、ユーザ装置１６００の他の構成部は従来技術を参照してもよい。
【０１１３】
フィードバック部１６０１は、周期的フィードバックモード２−１を用い、且つダブルコードブックを用いてフィードバックし、ＰＭＩのサブバンド粒度とＣＱＩのサブバンド粒度とが異なる場合、そのうち小さいサブバンド粒度をＰＭＩ及びＣＱＩのジョイントのサブバンド粒度として選択する。
【０１１４】
上記の実施例によれば、ＭＩＭＯにおける情報フィードバックを強化でき、情報フィードバックの技術的スキームをさらに最適化できる。
【０１１５】
＜実施例４＞
本発明の実施例は情報フィードバック方法を提供し、ユーザ装置はダブルコードブックを用いる。図１７は本発明の実施例の情報フィードバック方法の１つのフローチャートである。図１７に示すように、該情報フィードバック方法は以下のステップを含む。
【０１１６】
ステップ１７０１：ユーザ装置は、周期的フィードバックモード１−１のサブモード１を用い、且つランクが１又は２である場合、ワイドバンド第１ＰＭＩの大きさを３ビット以下に制限する。
【０１１７】
本実施例では、モード１−１のサブモード１について、第１フレームはＲＩ＋ワイドバンドＰＭＩ  Ｗ１であり、第２フレームはワイドバンドＰＭＩ  Ｗ２＋ワイドバンドＣＱＩである。新しいコードブック（即ちダブルコードブック）を用いる場合は問題が存在し、ユーザがＲＩ≦２をサポートするとき、ユーザ側が２本の受信アンテナを有し、ＲＩの確実な受信を確保するため、最大でサポートするフィードバックオーバーヘッドが４ビットであり、一方、ユーザがＲＩ≦４をサポートするとき、ユーザ側が４本の受信アンテナを有し、ＲＩの確実な受信を確保するため、最大でサポートするフィードバックオーバーヘッドが５ビットである。この２つの状況はいずれもｗｉｄｅｂａｎｄ  Ｗ１のフィードバックビットが３ビットであることを要求している。
【０１１８】
しかし、現在では、Ｒａｎｋ  １又は２の場合には、Ｗ１の大きさが１６であり、即ち４ビットが必要である。よって、設計の要求を満足するため、更なる選択の技術を用いる必要がある。ｒａｎｋ３、４について、新しいコードブックを用いる場合、Ｗ１の大きさが４であり、Ｒ８コードブックを用いる場合、Ｗ１の大きさが１であり、いずれにも更なる選択の問題が存在しない。
【０１１９】
具体的には、ワイドバンド第１ＰＭＩが３ビットを超えた場合、該方法は、ワイドバンド第１ＰＭＩにおけるビームがオーバーラップしたコードワードを低減し、或いはワイドバンド第１ＰＭＩの離散フーリエ変換ベクトルにおける精度を低減することで、ワイドバンド第１ＰＭＩの大きさを制限することを含んでもよい。
【０１２０】
言い換えれば、Ｒａｎｋ１、２の更なる選択について、例えば以下の原則に従って更なる選択を行ってもよい。Ｗ１におけるビームがオーバーラップしたコードワードを低減させ、或いはＤＦＴベクトルにおける精度を低減させ、例えばＱ１＝１６の場合、Ｑ１＝８のベクトルのみにさらに選択してもよく、さらに選択した後のコードワードは標準に定義される。
【０１２１】
例えば：
【数６】
2016189591.tif 000018
（ｎ＝１，…，１６）、奇数（ｎ＝１，３，…，１５）個のコードワードを選択することで、ビームのオーバーラップが２であることを確保してもよい。或いは、
【数７】
2016189591.tif 000019
、ＤＦＴ精度を低減させ、ｎが偶数のコードワードを選択し、サンプリング率が１６から８に低減する。或いは、
【数８】
2016189591.tif 000020
、ビーム重複を低減させ、即ちｎが奇数のコードワードを選択してサブサンプリングを行う。なお、上記実施例は単なる本発明を例示的に説明するものであり、本発明はこれに限定されない。
【０１２２】
具体的には、ワイドバンド第１ＰＭＩが３ビットを超えた場合、該方法は、ユーザ装置が、基地局が上位層シグナリング（例えばＲＲＣシグナリング）により構成された情報を受信し、上位層シグナリングに基づいて複数の所定の集合からワイドバンド第１ＰＭＩに対応する集合を選択することを含んでもよく、該集合のコードワードが８個以下である。該複数の所定の集合は標準で定義されてもよい。
【０１２３】
例えば、標準では、単なる設計に基づいて幾つの８コードワードの集合を定義し、例えばＲＲＣシグナリングを用いて更なる選択のための集合を構成してもよい。例えば、第１コードワード集合は大きい間隔のデュアル偏波アンテナシステム用のコードブック集合であり、第２コードワード集合は小さい間隔のデュアル偏波アンテナシステム用のコードブック集合であり、ＲＲＣシグナリングはシステムに用いられるアンテナに基づいて更なる選択のためのコードブック集合を構成する。
【０１２４】
図１８は本発明の実施例の情報フィードバック方法のもう１つのフローチャートである。図１８に示すように、該情報フィードバック方法は以下のステップを含む。
【０１２５】
ステップ１８０１：ユーザ装置は、周期的フィードバックモード２−１を用いる場合、１１ビットを用いて第３フレームにおけるサブバンド第２ＰＭＩ、サブバンドＣＱＩ及びサブバンドラベル情報をフィードバックする。
【０１２６】
本実施例では、周期的フィードバックモード２−１について、その第３フレームは、サブバンドＣＱＩ／ＰＭＩ２／サブバンドラベル情報（ｓｕｂｂａｎｄ  ｌａｂｅｌ  ｉｎｄｅｘ）をフィードバックする。ｒａｎｋ＝１の場合、１つのみのＣＱＩ情報があり、フィードバックオーバーヘッドを１１ビット以内に制御でき、ｒａｎｋ＝２の場合、圧縮しないと、サブバンドＣＱＩ１／２それぞれは４＋３ビットであり、ＰＭＩ  Ｗ２は４ビットであり、ｓｕｂｂａｎｄ  ｌａｂｅｌ  ｉｎｄｅｘは２ビット情報であり、システムがロードできる１１ビット情報を超えているため、ビット圧縮を行う必要がある。
【０１２７】
１つの態様では、ランクが２の場合、ワイドバンドＣＱＩとサブバンドＣＱＩを差分符号化することで、第３フレームにおけるＣＱＩの大きさを制限する。
【０１２８】
具体的には、ＣＱＩを圧縮し、即ちワイドバンドとサブバンドとのＣＱＩ情報を差分符号化することで、各ＣＱＩは２ビット情報のみを必要とする。ここで、差分符号化方法は非周期的フィードバックにおける差分符号化方法をそのまま用いてもよく、例えば表３に示すものであってもよい。
【０１２９】
もう１つの態様では、ランクが２である場合、サブバンド第２ＰＭＩの大きさを２ビット以下に制限する。
【０１３０】
即ち、ＰＭＩを圧縮し、ｓｕｂｂａｎｄ  ＰＭＩ  Ｗ２を２ビットの範囲内に制御する必要がある。ｒａｎｋ＝１について、１つのみのＣＱＩ情報があり、圧縮は依然として必要ではない。ｒａｎｋ＝２について、ｓｕｂｂａｎｄ  ＰＭＩ  Ｗ２を圧縮する必要があり、以下の２つの方法を用いてもよい。
【０１３１】
具体的には、１ビットを用いて異なるアンテナ（偏波組）の組み合わせ方式を選択し、他の１ビットを用いてビームを選択する。
【０１３２】
例えば、１ビットを用いてコードワード構造
【数９】
2016189591.tif 000021
における２つのいずれか１つを選択し、もう１つのビットを用いてビームを選択し、そのうち、Ｙ１、Ｙ２はｅｉであり、ｅｉは（１，１）（１，３）から（即ち｛（ｅ１，ｅ１），（ｅ１，ｅ３）｝から）選択され、或いは（１，１）（１，２）から（即ち｛（ｅ１，ｅ１），（ｅ１，ｅ２）｝から）選択される。
【０１３３】
或いは、具体的には、異なるアンテナの組み合わせ方式は予め決定され、２ビットを用いてビームを選択してもよい。
【０１３４】
例えば、コードワード構造が
（外２）
2016189591.tif 000022
であることを決定して、（１，１）、（３，３）、（１，３）、（３，１）から（即ち｛（ｅ１，ｅ１），（ｅ３，ｅ３），（ｅ１，ｅ３），（ｅ３，ｅ１）｝から）ｅｉを選択してもよい。
【０１３５】
ｒａｎｋ＝３又は４について、強化コードワードを使用しないと、ＤＦＴコードブック、即ちＲ８コードブックの前の４個のコードワード又は最後の４個のコードワードを用いてもよい。新しいコードワード設計を用いる（即ちダブルコードブックを用いる）場合、類似な設計思想を用いてもよい。即ち、１ビットでコードワード構造（即ち異なる偏波組の組み合わせ方式）を選択し、もう１ビットでビームを選択する。
【０１３６】
例えば、
【数１０】
2016189591.tif 000023
、そのうち、第１ビットでコードワード構造を選択し、第２ビットでビーム｛ｅ１，ｅ５，ｅ５｝及び｛ｅ５，ｅ１，ｅ１｝から選択する。なお、本発明はこれに限定されず、実際の状況に応じて具体的な態様を決定してもよい。
【０１３７】
図１９は本発明の実施例の情報フィードバック方法のもう１つのフローチャートである。図１９に示すように、該情報フィードバック方法は以下のステップを含む。
【０１３８】
ステップ１９０１：ユーザ装置は、周期的フィードバックモード１−１のサブモード２を用い、且つランクが２以上である場合、ワイドバンド第１ＰＭＩを３ビット以下に制限する。
【０１３９】
本実施例では、モード１−１のサブモード２について、第１フレームはＲＩ情報をフィードバックし、第２フレームはワイドバンドＰＭＩ  Ｗ１＋ワイドバンドＰＭＩ  Ｗ２＋ワイドバンドＣＱＩ情報をフィードバックする。ｒａｎｋ＝１の場合、ワイドバンドＰＭＩ  Ｗ１又はワイドバンドＰＭＩ  Ｗ２に対して１ビットのサブサンプリングを行う必要があり、ｒａｎｋ＝２の場合、Ｗ１＋Ｗ２のビット数を４ビットに制御する必要がある。Ｗ１を４ビットから３ビットにサブサンプリングし、ｒａｎｋ≧２の場合にＷ２を１ビットにサブサンプリングする方法を用いてもよい。
【０１４０】
具体的には、Ｗ１はサブモード１におけるサブサンプリング方法をそのまま用いてもよい。即ち、ワイドバンド第１ＰＭＩが３ビットを超えた場合、ワイドバンド第１ＰＭＩにおけるビームがオーバーラップしたコードワードを低減し、或いはワイドバンド第１ＰＭＩの離散フーリエ変換ベクトルにおける精度を低減することで、ワイドバンド第１ＰＭＩの大きさを制限する。
【０１４１】
或いは、ワイドバンド第１ＰＭＩが３ビットを超えた場合、ユーザ装置は、基地局が上位層シグナリングに基づいて構成した情報に基づいて、ワイドバンド第１ＰＭＩに対応し、且つコードワードが８を超えていない集合を選択する。
【０１４２】
Ｗ２について、ｒａｎｋ＝２の場合、１ビットを用いて異なる偏波組の組み合わせ方式を選択してもよい。
【数１１】
2016189591.tif 000024
コードワード構造のみを選択してもよく、そのうち、Ｙ１、Ｙ２はいずれもｅ１を選択する。なお、本発明はこれに限定されない。
【０１４３】
ｒａｎｋ＝３、４の場合、Ｒ８コードブックを用いると、Ｗ１＝０、Ｗ２及びワイドバンドＣＱＩについて更なる選択が必要ではない。ダブルコードブックを用いると、ワイドバンド第１ＰＭＩの大きさは２ビットであり、ワイドバンド第２ＰＭＩの大きさを２ビット以下に制限し、例えば上記モード２−１の方法をそのまま用いてもよく、即ちワイドバンド第２ＰＭＩの大きさを２ビット以下に制限してもよい。例えば、１ビットを用いて異なる偏波組の組み合わせ方式を選択し、もう１つのビットでビームを選択する。
【０１４４】
或いは、ｒａｎｋ＝３、４の場合、ワイドバンド第１ＰＭＩの大きさは１ビットであり、ワイドバンド第２ＰＭＩの大きさを３ビット以下に制限する。具体的には、異なるコードワードの間でビームオーバーラップを低減し、或いはビーム間隔を低減することで、ワイドバンド第１ＰＭＩの大きさを２ビットから１ビットに制限してもよい。
【０１４５】
例えば、Ｗ１は４つのコードワードから２つのコードワードをさらに選択する。例えば、
【数１２】
2016189591.tif 000025
、ビーム間隔を低減する方法を用いて、例えばｎ＝０，１，２，３からｎ＝０，２をさらに選択し、これによって、更なる選択の方法を用いて異なるコードワードの１番目のビームの間隔を増大させる。
【０１４６】
また、ワイドバンド第２ＰＭＩについて、ランクが４の場合、Ｗ２は３ビットであり、更なる選択は必要ではない。ランクが３の場合、Ｗ２は４ビットであり、更なる選択は必要である。ビーム組み合わせをさらに選択する方法を用いて実現してもよい。
【０１４７】
例えば、
【数１３】
2016189591.tif 000026
【０１４８】
さらに選択されたビームは第１及び第３の列であり、即ち以下の８個のコードワードである。
（外３）
2016189591.tif 000027
【０１４９】
本発明の実施例はユーザ装置をさらに提供し、図２０は本発明の実施例のユーザ装置の１つの構成を示す図である。図２０に示すように、ユーザ装置２０００はフィードバック部２００１を含み、ユーザ装置の他の構成部は従来技術を参照してもよい。
【０１５０】
フィードバック部２００１は、周期的フィードバックモード１−１のサブモード１を用いてフィードバックし、ランクが１又は２である場合、ワイドバンド第１ＰＭＩの大きさを３ビット以下に制限する。
【０１５１】
或いは、フィードバック部２００１は、周期的フィードバックモード２−１を用いてフィードバックし、１１ビットを用いて第３フレームにおけるサブバンド第２ＰＭＩ、サブバンドＣＱＩ及びサブバンドラベル情報をフィードバックする。
【０１５２】
或いは、フィードバック部２００１は、周期的フィードバックモード１−１のサブモード２を用いてフィードバックし、ワイドバンド第１ＰＭＩを３ビット以下に制限する。
【０１５３】
上記の実施例によれば、ＭＩＭＯにおける情報フィードバックを強化でき、情報フィードバックの技術的スキームをさらに最適化できる。
【０１５４】
＜実施例５＞
本発明の実施例は情報フィードバック方法を提供する。図２１は本発明の実施例の情報フィードバック方法の１つのフローチャートである。図２１に示すように、該情報フィードバック方法は以下のステップを含む。
【０１５５】
ステップ２１０１：ユーザ装置は、１つのフレームを用いてサブバンドＰＭＩ、サブバンドＣＱＩ及びサブバンドラベル情報をフィードバックする。
【０１５６】
また、ユーザ装置は、もう１つのフレームを用いてランクインジケータをフィードバックし、もう１つのフレームを用いてワイドバンドＰＭＩ及びワイドバンドＣＱＩをフィードバックしてもよい。
【０１５７】
例えば、ユーザ装置は、第１フレームを用いてランクインジケータをフィードバックし、第２フレームを用いてワイドバンドＰＭＩ及びワイドバンドＣＱＩをフィードバックし、第３フレームを用いてサブバンドＰＭＩ、サブバンドＣＱＩ及びＣＱＩラベル情報をフィードバックする。
【０１５８】
現在ではＲ８コードブックを用い、サブバンドＣＱＩフィードバックのみをサポートし、サブバンドＣＱＩ／サブバンドＰＭＩのフィードバックをサポートしていない。伝送モード４、６について、非周期的フィードバックモード３−２は、既にサブバンドＣＱＩ／サブバンドＰＭＩをサポートした。伝送モード８／９／１０について、フィードバックタイプ１ａで、サブバンドＰＭＩ、ＣＱＩのフィードバックをサポートできる。
【０１５９】
本実施例では、ダブルコードブックとＲ８コードブックとの同一のフィードバック粒度を確保するため、Ｒ８コードブックについてのサブバンドＣＱＩ／サブバンドＰＭＩフィードバック機能を増加する必要がある。第１フレームでＲＩをフィードバックし、第２フレームでワイドバンドＰＭＩ／ＣＱＩをフィードバックし、第３フレームでサブバンドＰＭＩ／ＣＱＩ及びｓｕｂｂａｎｄ  ｌａｂｅｌ  ｉｎｄｅｘをフィードバックする。そのうち、第３フレームのフィードバック内容は、増加する必要があるフィードバックタイプ１ｂである。１１ビットのフィードバックオーバーヘッドを確保するため、第３フレームのフィードバック情報を圧縮する必要がある。
【０１６０】
１つの態様では、ＣＱＩを圧縮してもよい。具体的には、ワイドバンドＣＱＩとサブバンドＣＱＩを差分符号化することで、第３フレームにおけるＣＱＩの大きさを制限してもよい。
【０１６１】
例えば、ワイドバンドとサブバンドのＣＱＩ情報を用いて差分符号化を行い、各ＣＱＩは２ビット情報のみを必要とする。ここで、差分符号化方法は非周期的フィードバックにおける差分符号化方法をそのまま用いてもよく、例えば表３に示すものであってもよい。
【０１６２】
もう１つの態様では、ＰＭＩを圧縮してもよい。具体的には、第３フレームにおけるサブバンドＰＭＩの大きさを２ビット以下に制限してもよい。即ち、Ｒ８コードブックにおける前の４個のコードワード又は最後の４個のコードワードのみを用いる。
【０１６３】
本発明の実施例はユーザ装置をさらに提供する。図２２は本発明の実施例のユーザ装置の１つの構成を示す図である。図２２に示すように、ユーザ装置２２００はフィードバック部２２０１を含み、ユーザ装置２２００の他の構成部は従来技術を参照してもよい。
【０１６４】
フィードバック部２２０１は、第１フレームを用いてランクインジケータをフィードバックし、第２フレームを用いてワイドバンドＰＭＩ及びワイドバンドＣＱＩをフィードバックし、第３フレームを用いてサブバンドＰＭＩ、サブバンドＣＱＩ及びサブバンドラベル情報をフィードバックする。
【０１６５】
上記の実施例によれば、ＭＩＭＯにおける情報フィードバックを強化でき、情報フィードバックの技術的スキームをさらに最適化できる。
【０１６６】
＜実施例６＞
本発明の実施例は情報フィードバック方法を提供する。図２３は本発明の実施例の情報フィードバック方法の１つのフローチャートである。図２３に示すように、該情報フィードバック方法は以下のステップを含む。
【０１６７】
ステップ２３０１：ユーザ装置は、基地局がフィードバック粒度を示すための指示情報に基づいてユーザ装置の調整後のフィードバック粒度を取得するように、基地局に指示情報を報告する。
【０１６８】
ＭＵ−ＭＩＭＯ伝送では、フィードバック精度の向上はシステム性能の改善に繋がる。フィードバック粒度を向上することは、フィードバック精度を有効に向上する方法の１つである。従来の方法は、殆ど準静的な構成方法によりフィードバック精度を向上するものである。実際のシステムでは、基地局には正確な動的干渉情報、アップリンク負荷情報がなく、且つチャネルの即時的関連性も時間に伴って即時に変化するため、ユーザ側は実際の干渉、負荷状況に応じてフィードバックの粒度を即時に調整する必要がある。
【０１６９】
１つの態様では、指示情報は１ビット、例えば１つの新粒度インジケータ（ＮＧＩ、Ｎｅｗ  Ｇｒａｎｕｌａｒｉｔｙ  Ｉｎｄｉｃａｔｏｒ）ビットであり、該方法は、ユーザ装置がランクインジケータと指示情報をジョイント符号化して伝送することをさらに含む。
【０１７０】
ここで、ＮＧＩは今回のフィードバックに用いられるＰＲＢ粒度をサポートする。例えば、「０」は標準におけるＰＲＢ粒度を表し、「１」はより細かいＰＲＢフィードバック粒度を表し、或いは、例えば「０」は標準における従来のコードブックを表し、「１」はより細かい空間粒度のコードブックを表す。周期的フィードバックモード及び非周期的フィードバックモードに適用してもよい。
【０１７１】
もう１つの態様では、ユーザ装置は、非周期的フィードバックに指示情報を追加して、フィードバック粒度を増加させるためのサブバンドを指示してもよい。ここで、指示情報は
（外４）
2016189591.tif 000028
であり、Ｋ個のサブバンドからＮ個のサブバンドを選択してフィードバックする。
【０１７２】
即ち、Ｋ個のサブバンドからＮ個のサブバンドを選択して、適切な高精度サブバンドのフィードバックを行い、他のサブバンドは、依然としてＲ１０標準に定義されたサブバンド精度でフィードバックされる。これに必要なシグナリングオーバーヘッドはｌｏｇ２（＜Ｎ，Ｋ＞）である。
【０１７３】
図２４は本発明の実施例のフィードバック精度を変更することを示す図である。図２４に示すように、例えば９個のサブバンドから２個サブバンドを選択して高精度のフィードバックを行い、残りの７個のサブバンドは依然としてＲ１０標準の精度でフィードバックされる。
【０１７４】
本発明の実施例はユーザ装置をさらに提供し、図２５は本発明の実施例のユーザ装置の１つの構成を示す図である。図２５に示すように、ユーザ装置２５００はフィードバック部２５０１を含み、ユーザ装置２５００の他の構成部は従来技術を参照してもよい。
【０１７５】
フィードバック部２５０１は、基地局がフィードバック粒度を示すための指示情報に基づいてユーザ装置の調整後のフィードバック粒度を取得するように、基地局に指示情報を報告する。
【０１７６】
本発明の実施例は情報構成方法をさらに提供し、基地局側から説明する。図２６は本発明の実施例の情報構成方法の１つのフローチャートである。図２６に示すように、該方法は以下のステップを含む。
【０１７７】
ステップ２６０１：基地局は、ユーザ装置がＫ個のサブバンドからＮ個のサブバンドを選択してフィードバックするように、ユーザ装置のためにＮを構成する。
【０１７８】
ステップ２６０２：基地局は、ユーザ装置により送信されたフィードバック粒度を示すための指示情報を受信し、指示情報に基づいてユーザ装置の調整後のフィードバック粒度を取得する。
【０１７９】
本発明の実施例は基地局をさらに提供し、図２７は本発明の実施例の基地局の１つの構成を示す図である。図２７に示すように、基地局２７００は構成部２７０１及び受信部２７０２を含み、基地局２７００の他の構成部は従来技術を参照してもよい。
【０１８０】
構成部２７０１は、ユーザ装置がＫ個のサブバンドからＮ個のサブバンドを選択してフィードバックするように、ユーザ装置のためにＮを構成する。受信部２７０２は、ユーザ装置により送信されたフィードバック粒度を示すための指示情報を受信し、基地局に指示情報に基づいてユーザ装置の調整後のフィードバック粒度を取得させる。
【０１８１】
上記の実施例によれば、ＭＩＭＯにおける情報フィードバックを強化でき、情報フィードバックの技術的スキームをさらに最適化できる。
【０１８２】
本発明の実施例は通信システムをさらに提供し、該通信システムは上記実施例に記載のユーザ装置及び基地局を含む。
【０１８３】
図２８は本発明の実施例６の通信システムの１つの構成を示す図である。図２８に示すように、該通信システムは、ユーザ装置２８０１及び基地局２８０２を含む。ユーザ装置２８０１は基地局２８０２に情報をフィードバックする。
【０１８４】
本発明の実施例は、ユーザ装置においてプログラムを実行する際に、コンピュータに、上記の情報フィードバック方法を該ユーザ装置において実行させる、コンピュータ読み取り可能なプログラムをさらに提供する。
【０１８５】
本発明の実施例は、コンピュータに、上記の情報フィードバック方法をユーザ装置において実行させるためのコンピュータ読み取り可能なプログラムを記憶する、記憶媒体をさらに提供する。
【０１８６】
本発明の実施例は、基地局においてプログラムを実行する際に、コンピュータに、上記の情報構成方法を該基地局において実行させる、コンピュータ読み取り可能なプログラムをさらに提供する。
【０１８７】
本発明の実施例は、コンピュータに、上記の情報構成方法を基地局において実行させるためのコンピュータ読み取り可能なプログラムを記憶する、記憶媒体をさらに提供する。
【０１８８】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【０１８９】
一つ以上の機能ブロックおよび/または添付の図面内の機能ブロックの一つ以上の組合せは、汎用プロセッサ、デジタル信号プロセッサ（DSP）、特定用途向け集積回路（ASIC）、フィールド・プログラマブル・ゲートとして実現されてもよいアレイ（FPGA）または他のプログラマブル論理デバイス、ディスクリートゲートまたはトランジスタ論理装置、ディスクリートハードウェアコンポーネント、またはそれらの任意の適切な組み合わせが挙げられる。これらはまた、例えば、DSPとマイクロプロセッサの組み合わせとして、コンピューティング機器の組み合わせとして通信DSPと組み合わせて、または任意の他のそのような構成における1つまたは複数のマイクロプロセッサ、複数のプロセッサを実現することができる。
【０１９０】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2016189591.tif 000031
【図２】
2016189591.tif 000032
【図３】
2016189591.tif 000033
【図４】
2016189591.tif 000034
【図５】
2016189591.tif 000035
【図６】
2016189591.tif 000036
【図７】
2016189591.tif 000037
【図８】
2016189591.tif 000038
【図９】
2016189591.tif 000039
【図１０】
2016189591.tif 000040
【図１１】
2016189591.tif 000041
【図１２】
2016189591.tif 000042
【図１３】
2016189591.tif 000043
【図１４】
2016189591.tif 000044
【図１５】
2016189591.tif 000045
【図１６】
2016189591.tif 000046
【図１７】
2016189591.tif 000047
【図１８】
2016189591.tif 000048
【図１９】
2016189591.tif 000049
【図２０】
2016189591.tif 000050
【図２１】
2016189591.tif 000051
【図２２】
2016189591.tif 000052
【図２３】
2016189591.tif 000053
【図２４】
2016189591.tif 000054
【図２５】
2016189591.tif 000055
【図２６】
2016189591.tif 000056
【図２７】
2016189591.tif 000057
【図２８】
2016189591.tif 000058